(57)【要約】      （修正有）【課題】冷房及び除湿運転時に於ける、室外機の熱交換性能を長期に向上安定させる事の可能な、エアコン室外機用省エネルギー装置を提供する。【解決手段】エアコン室外機用省エネルギー装置１は、ドレン水導入口２、ドレン水を分散する上部散水桝３、ドレン水熱交換用前部冷却パネル４及び後部パネル５により挟み込み固定された冷却シート６を有する。前部パネル４及び後部挟み込みパネル５の下部に下部貯留槽７を設け、冷却シート６は下部貯留槽７内部の底まで達する。また上部散水桝３の前面は、エアコン室外機の上部全体を覆う通気性断熱パネル９を備える。エアコン室外機用省エネルギー装置１は、一切の動力を使用せず冷房及び除湿運転時にエアコン室内機から排水される１０〜２０℃の低温のドレン水を、冷却シート６全体に分散吸収させることで風の温度を低下させ、断熱パネル９で太陽光に因る温度上昇を抑える。【選択図】図１
0003184502.tif 000002
【実用新案登録請求の範囲】
【請求項１】
エアコンの冷房及び除湿運転時に、室内機から排出されるドレン水を利用して、エアコン室外機への送風温度を外気温より低下させることにより、エアコン室外機の熱交換効率を向上させて、消費電力の減少を実現できるエアコン室外機用省エネルギー装置である。
【請求項２】
エアコン室外機用省エネルギー装置の効果を効率よく発生させる為の形態として、エアコン室外機用省エネルギー装置のドレン水熱交換用前部パネル４は、エアコン室外機背面全体を覆う形である。
【請求項３】
エアコン室外機用省エネルギー装置の上部散水桝３は、エアコン室内機から導入されたドレン水を一定の量まで貯留する事が可能でその下部には、冷却ドレン水を冷却シート６上部に均一に浸透させる為の５ｃｍ間隔の穴が設けられている。
【請求項４】
エアコン室外機用省エネルギー装置のドレン水熱交換用前部パネル４及び後部挟み込みパネル５の中間には、ドレン水熱交換用パネル４と下部貯留槽７を含む大きさの冷却シート６の浸透性熱交換布を使用する
【請求項５】
エアコン室外機用省エネルギー装置のドレン水熱交換用前部パネル４と後部挟み込みパネル５は、冷却シート６を挟み込むと同時に、上下に設置された複数の冷却シート固定用ピン８の効果で、冷却シート６自体がドレン水を含む事に因る重さで落下したり、強風等により変形または片寄る事が無いように強固に固定される。
【請求項６】
エアコン室外機用省エネルギー装置の通気性断熱パネル９は、２枚の樹脂製パネル内面に通気層を含んだ樹脂パネルで、家庭用エアコンの場合は室外機上面を覆う形状であり、大型エアコンの場合は上面及び側面も覆う事が可能である。
【請求項７】
エアコン室外機用省エネルギー装置の上部散水桝３と下部貯留槽７及びドレン水熱冷却用パネル４と後部挟み込みパネル５は、いずれの部品も小型の数種類の部材を組み合わせることにより、各種のエアコンに低価格で対応する事が可能となる。
【考案の詳細な説明】
【技術分野】
【０００１】本考案は、エアコンの冷房及び除湿運転時に於ける、熱交換効率の向上及び室外機の温度上昇を抑えることによる相乗効果により、エアコンの性能を向上させることで、消費電力の減少を推進する事を目的として工夫したものである。
【背景技術】
【０００２】エアコンの冷房及び除湿運転時は、冷媒ガスの室外機内での圧縮に因る放熱及び送風ファンに因る放熱板の冷却と、室内機でのガス膨張に因る吸熱効果を利用して行われているが、外気温及びエアコン室外機の設置環境により、冷房及び除湿能力が低下する性質を持っている。
【先行技術文献】
【特許文献】
【０００３】
【特許文献１】  特開２００４−１９０８７７
【特許文献２】  特開２００７−２５５７９２
【特許文献３】  実用新案３１６４５０１
【考案の概要】
【考案が解決しようとする課題】
【０００４】上記特許文献１は、エアコン室外機内部にドレン水を散布する為の機構を設置している為、既存エアコンへの取付が不可能であるとともに、長期間エアコン内部に水分がとどまる事に因る弊害として、冷却フィンでの苔等の発生に因る、熱交換性能の低下等が起こりうる、上記特許文献２で使用されている冷却シートは、水の気化する時の吸熱作用を利用して、送風温度を低下させる事が目的である為、本考案に近い公知技術であるが、冷却シートが水分を含む事に因る落下や、上部に水平に設置する事に因る垂れ下がり、強風等に因る変形と片寄り等を防止する為の方法や、冷却シートが汚れた場合等の交換方法等が一切検討されていない為、実際に使用する事が困難である、又、上記特許文献３に開示された補助冷却器具の技術は、既存のエアコン室外機に後付け使用して、冷房能力を上昇させようとする点について、本考案に最も近い公知技術であるが、上記文献３で示された図４、図５、図７、図８、図９で示された形状及び設置形態をしている為に、例え吸水性多孔ブロック２１がドレン水を含んだ事により、室外機に導入される風が外気よりも低温になったとしても、同装置を通過する流入風量が大幅に減少する為、当初予定していた性能を発揮する事は困難である、又、暖房運転時等には、同装置に因る室外機への流入風量の減少により、暖房能力の低下や、機器への負担増加に因る消費電力の増加が考えられる為、冷暖房兼用が基本的な日本のエアコンとしての普及は困難である。
【課題を解決する為の手段】
【０００５】以上の課題を解決する為に、第一考案は、エアコンの室内機から排出される、低温ドレン水を、エアコン室外機の背面に設けた、エアコン室外機用省エネルギー装置に導入し、効率よく長期間確実に冷却シート６に分散させる為の構造である。
【０００６】また、第二考案は、冷却シート６をドレン水熱交換用前部パネル４と後部挟み込みパネルで挟み込むとともに、前部パネル４と後部パネル５の上下部数カ所に冷却シート固定用ピンを設置する事により、冷却シート６がドレン水を含む事に因る自重の増加による落下や、強風等に因る片寄りや変形に因る性能の劣化を防止する事が可能となる上に、後部挟み込みパネル５は、簡単に着脱できるので、冷却シート６が万一酷い汚れや破損が有っても、低価格の浸透性不燃布交換用・冷却シート６を使用して交換が出来る、この結果、冷却シート６に浸透したドレン水を利用して、長期間安定的にエアコン室外機自体が行う送風機能を利用して、エアコン室外機に流入する風の温度を下げることで、熱交換能力の向上を達成させることにより消費電力の減少を促進することである。
【０００７】また、第三考案では、ドレン水熱交換用前部パネル４の下部には、下部貯留槽７が設けられており、冷却シート６は下部貯留槽７の底分にまで接する事により、エアコン停止後にも発生するドレン水を貯留する事で、冷却シート６の毛細管現象を利用して、冷却シートの保水状態を一定時間確保する事が出来る、結果として、エアコン再稼働時にもある程度の熱交換性能向上を維持する事が可能となる。
【０００８】そして、第四考案では、家庭用エアコンについてはエアコン室外機上部に通気性断熱パネル９を取付て使用し、業務用大型エアコンに対しては、上部及び両サイドに取付て使用する事により、室外機の温度上昇を低減させる事が可能である。
【考案の効果】
【０００９】以上の様に、第一考案から第３考案により、エアコンの冷房及び除湿運転時に、室内機から排出される、摂氏１０度から２０度のドレン排水を通過した風が、冷却されるとともに、ドレン排水が気化する事によって、室外機に送られる風が外気温よりいっそう低温に成る、又、第四考案では、エアコン室外機が直射日光にさらされて温度が上昇する事を、通気性断熱パネル４の効果により、低減された状態が維持される、この結果、エアコン室外機の熱交換用フィンを従来よりも冷却でき、冷房及び除湿時において、室内機内部での熱交換時に気化して高温になった冷媒ガスを、従前よりも効率的に冷却し再液化する事が出来る、従って消費電力の減少が実現出来る器具を提供できる。
【図面の簡単な説明】
【００１０】
【図１】この考案の実施形態を示した斜視図である。
【図２】この考案の実施形態を示した断面図である
【図３】ドレン水熱交換用前部パネル４と後部挟み込みパネル５及び冷却シート６と冷却シート固定用ピン９の位置関係を示す断面図である。
【考案を実施するための形態】
【００１１】この発明の一実施形態を図一と図二に示す。
エアコン室外機用省エネルギー装置では、冷却シート６を除く全ての部品がプラスチック樹脂製であるとともに、冷却シート６が水分を含む事に因る落下及び強風等に因る片寄りや、変形を防止する為にドレン水交換用前部パネル４及び挟み込みパネル５の２枚のパネルを使用し、上部及び下部には、浸透性熱交換布を固定する為の冷却シート固定用ピン９を設置する、冷却シート６は低温ドレン水を含むとともに、風を通して熱交換がしやすい材質及び形態の浸透性不燃布等を使用する、また、冷却ドレン水は本体上部から導入し、上部散水桝で分散されて冷却シート６に浸透する、余ったドレン水は、下部貯留槽に蓄積されるが、一定の貯水量を超えたドレン水は。貯留槽端部のドレン排水口から排水される。
【産業上の利用可能性】
【００１２】この実施形態によれば、冷房及び除湿運転時にエアコン自体から生み出された低温ドレン水、摂氏１０度から２０度、１時間当たり３００ｃｃから９００ｃｃを利用して、エアコン室外機に送られる風の温度を、外気温が３０度以上の場合で、最大１５度程低下させることが出来る、また、通気性断熱パネルに因る効果として、エアコン室外機が直射日光の照射に因る温度の上昇も抑えられる、この結果、熱交換効率がなお一層向上し、消費電力が減少する為、工場や事務所等の経費節減等にも有効である。
そして、本装置は、室外機背面全体を覆う形状であるため、室外機背面内部に設置されている、約１ｍｍ間隔で５００枚から８００枚にも及ぶ、鋭利なカミソリ状の熱交換用アルミフィンで、幼児などが手で触れることによる、怪我等も未然に防ぐ効果もある。
【符号の説明】
【００１３】１  エアコン室外機用省エネルギー装置
２  ドレン水導入口
３  上部散水桝
４  ドレン水熱交換用前部パネル
５  後部挟み込みパネル
６  冷却シート
７  下部貯留槽
８  冷却シート固定用ピン
９  通気性断熱パネル
【図１】
0003184502.tif 000003
【図２】
0003184502.tif 000004
【図３】
0003184502.tif 000005
【手続補正書】
【提出日】平成25年3月28日(2013.3.28)
【手続補正１】
【補正対象書類名】実用新案登録請求の範囲
【補正対象項目名】全文
【補正方法】変更
【補正の内容】
【実用新案登録請求の範囲】
【請求項１】
エアコンの冷房及び除湿運転時に、室内機から排出されるドレン水を上部散水桝３に導入し、その導入されたドレン水を、上部散水桝３の下部に配置された穴から散水する事により、エアコン室外機背面を覆う状態で上部散水桝３の下部に設置された冷却シート６全体にドレン水を含ませ、エアコン室外機本体に内蔵された送風機により、エアコン室外機背面から流入する風により、冷却シート６に含まれたドレン水が蒸発する際の気化熱を利用して、エアコン室外機内部に設置されている、冷却フィンへの送風温度を、低下させるとともに、エアコン室外機の上面及び側面にも通気性断熱パネル９を設けた、エアコン室外機用省エネルギー装置。
【請求項２】
エアコン室外機用省エネルギー装置には、上部散水桝３が配置されており、エアコン室内機から導入されたドレン水を、その最下部から冷却シート６上部に均一に浸透させる為の５ｃｍ間隔での穴が設けられている、請求項１に記載されたエアコン室外機用省エネルギー装置。
【請求項３】
エアコン室外機用省エネルギー装置には、ドレン水熱交換用前部パネル４及び後部挟み込みパネル５が配置されており、その間には、ドレン水熱交換用パネル４と下部貯留槽７を含む大きさの冷却シート６が配置された、請求項１又は２に記載された、エアコン室外機用省エネルギー装置。
【請求項４】
エアコン室外機用省エネルギー装置の、ドレン水熱交換用前部パネル４は、エアコン室外機背面全体を覆う形で作られている、請求項３に記載のエアコン室外機用省エネルギー装置。
【請求項５】
エアコン室外機用省エネルギー装置には、ドレン水熱交換用前部パネル４と後部挟み込みパネル５の上部及び下部に複数の冷却シート固定用ピン８を備えた、請求項３又は請求項４に記載のエアコン室外機用省エネルギー装置。
【請求項６】
通気性断熱パネル９は、家庭用エアコンの場合は室外機上面を覆う形状であり、大型エアコンの場合は上面及び側面も覆う、請求項１から請求項５いずれかひとつに記載のエアコン室外機用省エネルギー装置。
【請求項７】
エアコン室外機用省エネルギー装置の上部散水桝３と下部貯留槽７及びドレン水熱冷却用パネル４と後部挟み込みパネル５は、いずれの部品も数種類の部材を組み合わせる、請求項１から請求項６いずれかに記載のエアコン室外機用省エネルギー装置。